(57)【要約】【課題】ゴルフスコア・カウンタ機構を搭載したケースを有する機械式ゴルフ・スコア・カウンタを提供すること。【解決手段】本発明の機械式ゴルフ・スコア・カウンタは、（Ａ）複数のホールに関連するスコアをカウントし、各ホールのスコア表示を提供する複数の第１手段と、（Ｂ）各ホールの前記スコアの表示を記憶し、前記第１手段と共働する複数の第２手段と、（Ｃ）前記第１手段と共働し、選択されたホールのスコア表示を変更する第３手段と、（Ｄ）前記第１手段と共働し、前記選択されたホールのスコアを読みとる第４手段と、（Ｅ）前記第４手段と共働し、前記選択されたホールのスコアを表示する第５手段とを有し、前記第１手段は、前記ケース内に移動可能に搭載され、前記手段のいずれかは、選択されたスコア増分／読みとり位置を占有し、前記スコア増分／読みとり位置においては、前記手段は、前記第３手段と第４手段と共働するよう、選択される。【選択図】  図３
2008012308.tif 000002
【特許請求の範囲】
【請求項１】
ゴルフスコア・カウンタ機構（１２）を搭載したケース（１０）を有する機械式ゴルフ・スコア・カウンタにおいて、
（Ａ）  複数のホールに関連するスコアをカウントし、各ホールのスコア表示を提供する複数の第１手段（６０）と、
（Ｂ）  各ホールの前記スコアの表示を記憶し、前記第１手段（６０）と共働する複数の第２手段（７６）と、
（Ｃ）  選択されたホールのスコア表示を変更する第３手段（８８）と、
前記第３手段（８８）は、前記第１手段（６０）と共働し、
（Ｄ）  前記選択されたホールのスコアを読みとる第４手段（９０）と、
前記第４手段（９０）は、前記第１手段（６０）と共働し、
（Ｅ）  前記選択されたホールのスコアを表示する第５手段（１０４）と
前記第５手段（１０４）は、前記第４手段（９０）と共働し、
を有し、
前記第１手段（６０）は、前記ケース（１０）内に移動可能に搭載され、
前記手段のいずれかは、選択されたスコア増分／読みとり位置を占有し、
前記スコア増分／読みとり位置においては、前記手段は、前記第３手段（８８）と第４手段（９０）と共働するよう、選択される
ことを特徴とする機械式ゴルフ・カウンタ。
【請求項２】
前記第１手段（６０）は、あるホールのスコア表示を提供する輪列（６０）から形成され、
前記輪列（６０）は、前記ケース（１０）内に回転可能に搭載された第１プレート（４２）上に搭載され、
これにより、輪列（６０）は、連続して前記スコア増分／読みとり位置に入る
ことを特徴とする請求項１記載のカウンタ。
【請求項３】
前記第１プレート（４２）は、制御部材（５４）により駆動される
ことを特徴とする請求項２記載のカウンタ。
【請求項４】
前記ゴルフスコア・カウンタ機構（１２）は、前記ケース（１０）内に固定して搭載される第２プレート（３８）を有し、
前記第２プレート（３８）に第１プレート（４２）が回転可能に搭載される
ことを特徴とする請求項２もしくは３に記載のカウンタ。
【請求項５】
前記輪列（６０）は、星形歯車（６２）と、前記星形歯車（６２）に固定される渦巻き状部品（６６）とを有する
ことを特徴とする請求項２−４のいずれかに記載のカウンタ。
【請求項６】
前記第３手段（８８）は、増分歯車列（８０）と、第１レバー（８４）と、第１プッシュボタン（３４）とを有し、
前記増分歯車列（８０）は、前記第２プレート（３８）に固定して搭載されて、スコア増分／読みとり位置にある星形歯車（６２）と共働するくちばし部分（８０ａ）を具備し、
前記第１レバー（８４）は、前記第２プレート（３８）に回転可能に搭載され、前記増分歯車列（８０）と共働して増分歯車列（８０）を回転させ、
前記第１プッシュボタン（３４）は、前記ケース（１０）内に搭載されて、第１レバー（８４）と共働して第１レバー（８４）を回転する
ことを特徴とする請求項５記載のカウンタ。
【請求項７】
前記第４手段（９０）は、フィーラー・スピンドル（９０）を有し、
前記フィーラー・スピンドル（９０）は、第２プレート（３８）に回転可能に搭載され、スコア増分／読みとり位置にある渦巻き状部品（６６）と共働する
ことを特徴とする請求項５もしくは６に記載のカウンタ。
【請求項８】
前記第５手段（１０４）は、ラック（９２）と輪列（９８）とを有し、
前記ラック（９２）は、フィーラー・スピンドル（９０）に固定され、
前記輪列（９８）は、ピニオン（９６）と円板（１００）とから形成され、
前記ラック（９２）は、前記ピニオン（９６）とかみ合う
ことを特徴とする請求項７記載のカウンタ。
【請求項９】
前記第２手段（７６）は、複数の弾性部材（７６）を有し、
前記弾性部材（７６）は、星形歯車（６２）と共働して、星形歯車（６２）の位置を決める
ことを特徴とする請求項５−８のいずれかに記載のカウンタ。
【請求項１０】
前記輪列（６０）は、ハート形部品（６４）を更に有し、
前記ハート形部品（６４）は、星形歯車（６２）と渦巻き状部品（６６）との間に挿入されて、星形歯車（６２）と渦巻き状部品（６６）に固定される
ことを特徴とする請求項５−９のいずれかに記載のカウンタ。
【請求項１１】
前記弾性部材（７６）は、星形歯車（６２）と渦巻き状部品（６６）の間に挿入されたリング（７０）上に搭載され、
前記リング（７０）は、複数のハンマー（７４）を有し、
前記ハンマー（７４）は、前記ハート形部品（６４）と共働して、ハート形部品（６４）を方向付ける
ことを特徴とする請求項１０記載のカウンタ。
【請求項１２】
前記フィーラー・スピンドル（９０）は、くちばし部分（９１）を有し、
前記第１プレート（４２）は、複数のノッチ（４９）を有し、
前記くちばし部分（９１）は、前記ノッチ（４９）と共働して、第１プレート（４２）の回転を阻止する
ことを特徴とする請求項７−１１のいずれかに記載のカウンタ。
【請求項１３】
前記第１プレート（４２）は、竜頭歯（５０）を具備し、
前記制御部材（５４）は、軸（５６）と、竜頭（３２）と、ピニオン（５８）とを有し、
前記竜頭（３２）は、軸（５６）の第１端に搭載され、
前記ピニオン（５８）は、前記軸（５６）の第２端に搭載され、
前記ピニオン（５８）は、竜頭歯（５０）とかみ合う
ことを特徴とする請求項２−１２のいずれかに記載のカウンタ。
【請求項１４】
前記ゴルフスコア・カウンタ機構（１２）は、さらに加算器を有する
ことを特徴とする請求項１−１３のいずれかに記載のカウンタ。
【請求項１５】
前記ゴルフスコア・カウンタ機構（１２）は、スコア増分／読みとり位置にある輪列（６０）により提供されるスコアを減算する手段（８８）を有する
ことを特徴とする請求項２−１４のいずれかに記載のカウンタ。
【請求項１６】
前記増減分装置（８８）は、減分歯車列（８２）と、第２レバー（８６）と、第２プッシュボタン（３６）とを有し、
前記減分歯車列（８２）は、第２プレート（３８）上に固定して搭載されて、スコア増分／読みとり位置にある前記星形歯車（６２）と共働するくちばし部分（８２ａ）に適合し、
前記第２レバー（８６）は、第２プレート（３８）上に回転可能に搭載され、前記減分歯車列（８２）と共働して減分歯車列（８２）を回転し、
前記第２プッシュボタン（３６）は、ケース（１０）内に搭載され、第２レバー（８６）と共同して第２レバー（８６）を回転し、
前記減分歯車列（８２）と第２レバー（８６）と第２プッシュボタン（３６）は、        スコア増分／読みとり位置にある輪列（６０）に対し対称位置に搭載されるか、        増分歯車列（８０）と第１レバー（８４）と第１プッシュボタン（３４）に対しそれぞれ対称位置に搭載される
ことを特徴とする請求項１５記載のカウンタ。
【請求項１７】
ケース（１０）に搭載されたムーブメント（１４）をさらに有する
ことを特徴とする請求項１−１６のいずれかに記載のカウンタ。
【発明の詳細な説明】
【技術分野】
【０００１】
本発明は、時計の分野および機械の分野に関し、特に、機械式時計に組み込むことのできる機械式ゴルフスコア・カウンタに関する。
【背景技術】
【０００２】
このようなゴルフスコア・カウンタは、特に特許文献１，２で公知である。これらの特許文献１，２は、機械式ゴルフスコア・カウンタを開示する。この機械式ゴルフスコア・カウンタは、全てのホールのスコアを同時に表示するが、時計機能がない。一方、現在プレー中のホールのスコアとトータル・スコアを表示する機械式ゴルフスコア・カウンタを組み込んだ時計もある。この種の時計は、ゴルファーにとって非常に有効である。しかし、前のホールでプレーしたストロークの数は、次のホールでは失われてしまう。かくして、ゴルフ・プレーヤは、あるホールに対しプレーしたストロークの数に戻ることができず、ホール毎に自分のラウンドを解析することができない。このような装置は、特許文献３，４に開示されている。
【０００３】
【特許文献１】英国特許第３０９６１３号明細書
【特許文献２】英国特許第３１０４０１号明細書
【特許文献３】欧州特許第１０９９４５９号明細書
【特許文献４】国際公開第００／５４１１６号
【発明の開示】
【発明が解決しようとする課題】
【０００４】
本発明は、上記の欠点を解決するもので、各ホールでのスコアをカウントし記録する装置を具備し、且つある所定のホールでのスコアを表示できる装置を具備した機械式ゴルフスコア・カウンタを提供する。
【課題を解決するための手段】
【０００５】
本発明のゴルフスコア・カウンタ機構を搭載したケースを有する機械式ゴルフ・スコア・カウンタは、
（Ａ）  複数のホールに関連するスコアをカウントし、各ホールのスコアの表示を提供する複数の第１手段と、
（Ｂ）  各ホールの前記スコアの表示を記憶し、前記第１手段と共働する複数の第２手段と、
（Ｃ）  選択されたホールのスコア表示を変更する第３手段と、
前記第３手段は、前記第１手段と共働し、
（Ｄ）  前記選択されたホールのスコアを読みとる第４手段と、
前記第４手段（９０）は、前記第１手段と共働し、
（Ｅ）  前記選択されたホールのスコアを表示する第５手段と
前記第５手段（１０４）は、前記第４手段と共働し、
を有し、
前記第１手段は、前記ケース内に移動可能に搭載され、
前記手段のいずれかは、所定のスコア増分／読みとり位置を占有し、
前記スコア増分／読みとり位置においては、前記手段は、前記第３手段と第４手段と共働するよう選択される。
【０００６】
本発明のゴルフスコア・カウンタは、各ホール毎にスコアをカウントできる手段をケース内に搭載し、それら手段の各々が、スコアを表示し、読み出し、修正できる。この為、本発明のゴルフスコア・カウンタは、各ホールのスコアを表示する手段がケース内を不必要に占有することなく、時間表示機能も有する。本発明のゴルフスコア・カウンタは、時計内に容易に組み込むことができる。
【実施例】
【０００７】
図１，２に示すゴルフスコア・カウンタは、従来と同様に、ケース１０を有し、このケース１０がゴルフスコア・カウンタ機構１２を収納する。図１，２に示す実施例において、機械式のゴルフスコア・カウンタは、さらにムーブメント１４を有する。このムーブメント１４の上方に文字板１６が搭載される。この文字板１６は、ムーブメント１４により駆動される時針２０と分針２２と秒針２４と共働する表示目盛り１８を搭載する。この実施例の変形例として、ムーブメント１４は、ゴルフスコア・カウンタを具備しなくてもよい。
【０００８】
文字板１６は、第１開口２６と第２開口２８と第３開口３０とを有する。第１開口２６は、ホールの番号、例えば現在プレー中のホールの番号を示す。第２開口２８は、そのホールでのスコアを示し、第３開口３０はトータル・スコアを表示する。このケースは、竜頭３２と、プッシュボタン３４、３６と、リセットレバー３７とを有する。竜頭３２は、ホールを選択するために時計の３時の位置に配置される。プッシュボタン３４、３６は、選択されたホールのスコアとトータル・スコアをそれぞれ増減するために、２時と４時の位置に配置される。レバー３７は、各ホールのスコアをゼロにリセットする。
【０００９】
機械式ゴルフスコア・カウンタのムーブメント１４は、ケース１０内に搭載される。ゴルフスコア・カウンタ機構１２は、ムーブメント１４上方に配置される。このために、ムーブメント１４は、軸Ａ−Ａを有する固定プレート３８を有する。固定プレート３８はケース１０内に固定して搭載される。図２に示す実施例においては、固定プレート３８はケース１０に固定される。変形例として固定プレート３８をムーブメント１４に固定し、このムーブメント１４をケース１０に固定・搭載することも可能である。文字板１６は、ゴルフスコア・カウンタ機構１２上方に搭載され、文字板１６がケース１０に取り付けられる。ムーブメント１４に連結される指針２０、２２、２４を搭載する軸真４０が、ゴルフスコア・カウンタ機構１２と文字板１６を貫通する。
【００１０】
ゴルフスコア・カウンタ機構１２の詳細を図３，４，５に示す。ゴルフスコア・カウンタ機構１２は、軸Ａ−Ａの固定プレート３８と、この固定プレート３８上に軸Ａ−Ａの周囲に回転可能に搭載される可動プレート４２とを有する。固定プレート３８は、その上部表面に配置されたハウジング４４内に適合する。さらに、可動プレート４２は、底部プレート４６と上部プレート４８から形成される。この両プレート４６，４８は中心に穴が空いている。上部プレート４８は、文字板１６の真下に配置され、ホールの番号が記載され、第１開口２６を介して見ることができる。上部プレート４８は、さらに、その内側周囲に複数のノッチ４９を具備する。その機能を以下説明する。底部プレート４６は、その底部面に配置された竜頭歯５０を具備する。底部プレート４６と上部プレート４８は、その円周に分布した複数の軸真５２により互いに係合される。軸真５２は、その第１端で底部プレート４６に、その第２端で上部プレート４８に固定される。底部プレート４６は、ハウジング４４内に配置され、可動プレート４２は、回転運動するようガイドされながら半径方向に配置される。可動プレート４２は、時計の３時の位置に配置され、軸５６で形成される制御部材５４により回転が制御される。この軸５６に竜頭３２とピニオン５８が搭載される。制御部材５４は、ピニオン５８が引き出し位置において竜頭歯５０とかみ合い、押し込み位置において自由に回転するよう、ケース１０内に配置される。軸５６は、ピニオン５８を超えて伸びて、さらに円形突起部５９を有する。この円形突起部５９の機能を次に説明する。
【００１１】
軸真５２は、１８個あるが、それぞれ、ゴルフコースのホール番号と上部プレート４８の番号に対応する。この実施例の簡単な変形例としては、９個の軸真で９ホールのゴルフコースに対応することもできる。各軸真５２上には、星形歯車の輪列６０が搭載される。この輪列６０は、底部プレート４６から上部プレート４８の方向に、１０枚歯の星形歯車６２とハート形部品６４と渦巻き状部品６６を有し、さまざまな要素が重なり合い、互いに結合される。その中心部に、輪列６０と、星形歯車６２と、ハート形部品６４と、渦巻き状部品６６が次のように互いに方向付けられる。即ち、ハート形部品６４の先端は、星形歯車６２の１つの歯と、渦巻き状部品６６の最大半径部分と整合する。渦巻き状部品６６は、さらにその底部面または上部面に固定されたウエッジ６８を具備する。その結果、渦巻き状部品６６は、それぞれ上部面または底部面のレベルに伸びる。隣接する２個の渦巻き状部品６６が、２つの別々のレベルに伸びる。これにより、輪列６０が、輪列６０の最大幅の部分を形成する渦巻き状部品６６が互いに衝突することなしに、より近くに移動できる。
【００１２】
リング７０が、ゴルフスコア・カウンタ機構１２の周囲で、星形歯車６２と渦巻き状部品６６の間で、ハート形部品６４の面に挿入される。リング７０は、リセットレバー３７と共働する１８個の対称に配置された歯７２を具備する。リング７０は、ハート形部品６４の方向を向いて、１８個の突起部７４を有する。この突起部７４が、輪列６０を方向付け、各ホールのスコアをゼロにリセットするハンマーを形成する。さらに、リング７０は、１８個のジャンパー・スプリング７６を具備する。このジャンパー・スプリング７６は、リング７０の底部面に固定される。各ジャンパー・スプリング７６は、星形歯車６２と共働して、星形歯車６２を位置決めする。可動プレート４２が回転駆動されると、リング７０は、１８個の星形歯車６２により１８個のジャンパー・スプリング７６にかかる摩擦力により、回転駆動される。
【００１３】
３時の位置にある輪列６０は、選択されたホールに対応する輪列である。この位置において、選択されたホールのスコアを増分するために、輪列６０が活性化され、スコアを読むことができるようになる。この位置は以下スコア増分／読みとり位置と称する。スコアを増減するために、増分歯車列８０は、くちばし部分８０ａ、８０ｂとフィンガ８０ｃを、減分歯車列８２は、くちばし部分８２ａ、８２ｂとフィンガ８２ｃとを有する。歯車列８０，８２は、固定プレート３８に、スコア増分／読みとり位置の位置に配置された星形歯車６２の近傍で、９時と３時を結んだ直径の両側に配置される。くちばし部分８０ａ、８０ｂ、８２ａ、８２ｂは、星形歯車６２の面に配置され、フィンガ８０ｃ、８２ｃは、固定プレート３８の面に伸びる。歯車列８０、８２は、２本のレバー（即ち固定プレート３８に回転可能に搭載されたレバー）８４、８６によりそれぞれ活性化される。これらのレバー８４、８６は、固定プレート３８の面を伸びて、それぞれフィンガ８０ｃ、８２ｃと共働する。レバー８４、８６は、それぞれプッシュボタン３４、３６で活性化される。プッシュボタン３４、３６と、レバー８４、８６と、歯車列８０、８２は、星形歯車６２と共に選択されたホールのスコアを増減する増減装置８８を形成する。
【００１４】
ゴルフスコア・カウンタ機構１２は、さらにフィーラー・スピンドル９０を有する。このフィーラー・スピンドル９０は、スコア増分／読みとり位置で、渦巻き状部品６６に載っている。その端部は、渦巻き状部品６６の底部レベルと上部レベル上を伸びて、いずれかの渦巻き状部品６６と接触するようになる。ゴルフスコア・カウンタ機構１２は、さらに上部プレート４８の面に伸びるくちばし部分９１を有し、ノッチ４９と共働して、可動プレート４２をブロックする。フィーラー・スピンドル９０は、ラック９２に固定される。このラック９２は、固定プレート３８の軸真９４を中心に回転可能であり、固定プレート３８の面に伸びる第１部分９３と、フィーラー・スピンドル９０の面に伸びる第２部分９５とを有する。フィーラー・スピンドル９０〜ラック９２からなる組立体は、復帰スプリング（図示せず）の力で、フィーラー・スピンドル９０を、スコア増分／読みとり位置にある渦巻き状部品６６に当てて保持する。ラック９２は、固定プレート３８に搭載されたピニオン９６とかみ合う。輪列９８は、ピニオン９６に加えて、０から９の数字が書かれた円板１００を有し、第２開口２８に対向して配置された選択されたホールのスコアを表示する。フィーラー・スピンドル９０は、所定のホールのスコアを読み出す装置１０２を形成し、一方、ラック９２は、輪列９８と共にこのスコアを表示する表示装置１０４を形成する。
【００１５】
ほぼ三角形の三角カム１０６は、固定プレート３８の面内を伸びて、その上に回転可能に搭載される。三角カム１０６は、停止部材１０８と、丸み突起部分１１０とを有する。停止部材１０８は、その三角カム１０６の頂点の１つに配置されて、ムーブメント１４の方向に向かって軸方向に伸びる。丸み突起部分１１０は、別の頂点を形成して、ラック９２の第２部分９５と共働する（噛み合う）。三角カム１０６は、復帰スプリング（図示せず）の作用を受けて、停止部材１０８を制御部材５４の軸５６に当てて保持する。この位置において、丸み突起部分１１０は、ラック９２がどの位置にあろうとも、ラック９２と接触することはない。
【００１６】
ゴルフスコア・カウンタ機構１２は、星形歯車１１２を有する。この星形歯車１１２は、スコア増分／読みとり位置にある星形歯車６２近傍の固定プレート３８に、９時と３時を結ぶ直径の位置で、星形歯車６２の面に伸びる。この位置において、星形歯車１１２は、増分歯車列８０のくちばし部分８０ｂと、減分歯車列８２のくちばし部分８２ｂによりそれぞれ活性化される。星形歯車１１２は、特許文献２に開示された加算器の第１要素を形成する。加算器は、第３開口３０を介してトータル・スコアを表示する表示装置と共働する。ゴルフスコア・カウンタ機構１２は、選択的事項として、特許文献２に開示されたスコアをゼロに戻す装置を有してもよい。
【００１７】
ゴルフスコア・カウンタ機構１２の動作を次に説明する。
初期位置において、１番ホールに対応する輪列６０は、スコア増分／読みとり位置にあり、ホール番号１は第１開口２６を介してみることができる。さらに、輪列６０は、その角度位置でホールのスコアの表示を提供するが、渦巻き状部品６６がＡ−Ａ軸の方を向くように、方向付けられ、これは、スコアがゼロに対応する。この位置において、所定のホールのスコアを表す第２開口２８は、ゼロ（０）のスコアを表示する。同様に、トータル・スコアを表す第３開口３０も、ゼロ（０）のスコアを表示する。可動プレート４２は、くちばし部分９１により回転が阻止される。くちばし部分９１は、初期位置に対応する上部プレート４８のノッチ４９に係合する。
【００１８】
プッシュボタン３４を押すことによりレバー８４を活性化する。このレバー８４は、輪列６０をフィンガ８０ｃを介して回転して増分する。くちばし部分８０ａは、スコア増分／読みとり位置にある星形歯車６２の１本の歯に当たる。星形歯車６２は、ジャンパー・スプリング７６により１本の歯分だけ回転する。所定のホールのスコアは、輪列６０の角度位置にリンクしており、１点だけ増える。同時に、くちばし部分８０ｂは、星形歯車１１２の１本の歯に当たり、星形歯車１１２は１本の歯分だけ回転して、加算器を駆動する。かくして、トータル・スコアは１点だけ増える。
【００１９】
初期位置において、フィーラー・スピンドル９０は、スコア増分／読みとり位置にある渦巻き状部品６６の最大半径部分に当たる。輪列６０がプッシュボタン３４に掛けた力で回転すると、渦巻き状部品６６の小さな半径部分をフィーラー・スピンドル９０に向ける。これにより、フィーラー・スピンドル９０〜ラック９２からなる組立体が、軸真９４を中心にスイングする。そして、ラック９２が、輪列９８をピニオン９６を介して回転駆動し、１番ホールのスコアの表示を０から１に変える。
【００２０】
プッシュボタン３４を繰り返し押すことにより、１番ホールのスコアとトータル・スコアを増やし表示する。これらのスコアは、プッシュボタン３６を介して修正する（減らす）こともできる。プッシュボタン３６の動作は、レバー８６と減分歯車列８２に関連するが、プッシュボタン３４の動作と逆である。かくしてプッシュボタン３６は、星形歯車６２と星形歯車１１２を増分方向とは反対方向に回転させるすなわちスコアを減らす。
【００２１】
１番ホールから２番ホールへの移行は、引き出し位置にある制御部材５４を用いて行われる。この位置では、軸５６上にある円形突起部５９が、三角カム１０６に含まれる停止部材１０８に向かい合う。停止部材１０８は、その軸の周囲で三角カム１０６を回転する効果を有する。その後、丸み突起部分１１０がラック９２に当たり、ラック９２を軸真９４を中心に回転させる。かくして、フィーラー・スピンドル９０が、渦巻き状部品６６から離れる方向に移動し、くちばし部分９１がノッチ４９から離れ、可動プレート４２のロックを解除する。ゴルファーが制御部材５４を活性化すると、可動プレート４２は回転駆動され、２番ホールに対応する輪列６０がスコア増分／読みとり位置内に入る。その後、第１開口２６が数字２（２番ホール）を示し、０の表示が所定のホールのスコアを示す第２開口２８を介して表示される。２番ホールのスコアとトータル・スコアは、プッシュボタン３４、３６を用いて変更できる。
【００２２】
上記の操作を最終ホールまで繰り返す。
【００２３】
輪列６０の角度位置がジャンパー・スプリング７６に固定されると、既にプレーしたホールのスコアは、ユーザが次のホールを押すと登録される。かくして、いつでも既にプレーしたホールのスコアを、竜頭３２を用いて、可動プレート４２を動かすことにより見ることができ、これにより所定の輪列６０をスコア増分／読みとり位置に配置できる。スコアがジャンパー・スプリング７６を用いて登録されているので、フィーラー・スピンドル９０は、このスコアを読み取り、それを表示装置１０４に送る。
【００２４】
ラウンドの終了後、既にプレーしたホールのスコアをリング７０を用いてゼロにリセットする。リング７０は、ゼロリセットレバー３７を用いて活性化される。このレバー３７は、非対称の歯７２と共働してレバーを回転駆動する。その後、ハンマーである突起部７４が、全てのハート形部品６４を初期状態に戻す。すなわち、軸Ａ−Ａに示した方向に示されたポイントで戻す。かくして、輪列６０は、０のスコアを読み取るように、再度方向付けられる。
【００２５】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００２６】
【図１】本発明のゴルフスコア・カウンタの上面図。
【図２】本発明のゴルフスコア・カウンタの断面図。
【図３】本発明のゴルフスコア・カウンタに適合したゴルフスコア・カウンタ機構の上面図。
【図４】ゴルフスコア・カウンタ機構を時計の９時と３時の位置に沿って切った断面図。
【図５】ゴルフスコア・カウンタ機構を時計の２時と８時の位置に沿って切った断面図。
【符号の説明】
【００２７】
１０  ケース
１２  ゴルフスコア・カウンタ機構
１４  ムーブメント
１６  文字板
１８  表示目盛り
２０  時針
２２  分針
２４  秒針
２０，２２，２４  指針
２６  第１開口
２８  第２開口
３０  第３開口
３２  竜頭
３４，３６  プッシュボタン
３７  レバー
３８  固定プレート
４０  軸真
４２  可動プレート
４４  ハウジング
４６  底部プレート
４８  上部プレート
４９  ノッチ
５０  竜頭歯
５２  軸真
５４  制御部材
５６  軸
５８  ピニオン
５９  円形突起部
６０  輪列
６２  １０枚歯の星形歯車
６４  ハート形部品
６６  渦巻き状部品
６８  ウエッジ
７０  リング
７２  歯
７４  １８個の突起部（ハンマー）
７６  ジャンパー・スプリング
８０  増分歯車列
８２  減分歯車列
８０ａ，８０ｂ，８２ａ，８２ｂ  くちばし部分
８０ｃ，８２ｃ  フィンガ
８４，８６  レバー
８８  増減分装置
９０  フィーラー・スピンドル
９１  くちばし部分
９２  ラック
９３  第１部分
９４  軸真
９５  第２部分
９６  ピニオン
９８  輪列
１００  円板
１０２  読みとり装置
１０４  表示装置
１０６  三角カム
１０８  停止部材
１１０  丸み突起部分
１１２  星形歯車
【図１】
2008012308.tif 000003
【図２】
2008012308.tif 000004
【図３】
2008012308.tif 000005
【図４】
2008012308.tif 000006
【図５】
2008012308.tif 000007
【外国語明細書】
2008012308000001.pdf